(57)【特許請求の範囲】
【請求項１】
支柱を介してパネルを連結して構築したパネル塀において、
前記支柱と前記パネルを連結する連結部分に、その連結部分の隙間を覆うカバーが取付けられており、
該カバーの外表面は、前記支柱の外表面および前記パネルの外表面と面一になっており、
該カバーとその側方に位置する支柱のカバー側近傍および該カバーの他方に位置するパネルのカバー側近傍からなる領域に薄膜テープが貼付されており、
該薄膜テープの外表面から、外装材が塗布されている
ことを特徴とするパネル塀。
【請求項２】
前記カバーが、前記連結部分に弾性係止片によって嵌合係止されている
ことを特徴とする請求項１記載のパネル塀。
【請求項３】
支柱を介してパネルを連結してパネル塀を構築する方法であって、
前記支柱と前記パネルを連結する連結部分に、その連結部分の隙間を覆うカバーを取付け、
該カバーの外表面は、前記支柱の外表面および前記パネルの外表面と面一とし、
該カバーとその側方に位置する支柱のカバー側近傍および該カバーの他方に位置するパネルのカバー側近傍からなる領域に薄膜テープを貼付し、
該薄膜テープの外表面から、外装材を塗布する
ことを特徴とするパネル塀の構築方法。
【発明の詳細な説明】
【技術分野】
【０００１】
本発明は、パネル塀およびその構築方法に関する。さらに詳しくは、家屋や敷地の周りを囲む塀を構築するためのパネル塀とその目地処理を要点とする構築方法に関する。
【背景技術】
【０００２】
従来より家屋や敷地の周りを囲む塀にはコンクリートブロックを積み上げたブロック塀が多用されている。
しかるにブロック塀は、砂をセメントで固めたコンクリート構造物であるので重量が重く、倒壊したときに人が下敷きになると大きな人身事故を招くという欠点があった。
【０００３】
そこで、軽量化しながら外観の質も向上させたものとして特許文献１，２の従来技術が提案された。
特許文献１の従来技術は、アルミニウム製構造材からなるフレームにセメント系のパネルを取付け、かつ外面にタイルを貼付したものである。
特許文献２の従来技術は、アルミニウム製構造材からなるフレームに窯業系サイディングを張設したものである。
【０００４】
上記従来例１、２は、セメント系パネルやタイル（特許文献１）や窯業系サイディング（特許文献２）を使うため、コンクリートブロックよりは軽いものの、軽量効果は充分ではなかった。
また、躯体フレームに各種の外装材（セメント系パネルやタイル、窯業系サイディング）を取り付けていくので、現場施工に手間がかかるという問題があり、仮に工場内で組立てして出荷するようにすれば、変化の乏しい塀となり、住宅デザインや都市デザインからの要望にこたえられないものとなってしまう。
【０００５】
一方、軽量化の点では、更に進化した従来技術として、特許文献３がある。
この従来技術は、支柱に合成樹脂製のパネルを結合したものである。
この従来技術では、軽量で施工性の優れたものとなるが、厚さの薄い板状の外観となり、かつ表面が平坦なだけであるから美的質感は極めて乏しいものであって、住宅デザインや都市デザインからの要望には応えることができない。
【先行技術文献】
【特許文献】
【０００６】
【特許文献１】特開平６−１３７０５１号公報
【特許文献２】特開平７−１８９６２号公報
【特許文献３】特開２００３−３２１９５２号公報
【発明の概要】
【発明が解決しようとする課題】
【０００７】
そこで、本発明者は、モジュール化されたパネルを支柱を介して組立て、その外面に外装材を塗布することにより、軽量で美的質感の高いパネル塀が得られることを見出した。
しかるに、このパネル塀では、支柱とパネルの連結部に生じる目地を平坦に処理しないと、壁用の外装材を塗布した部分に、内部の目地溝が外面に現われて美感を損なうことがある。また、目地溝への外装材の付着は弱いので、完成後に外装材が剥がれやすいという問題もあった。
【０００８】
本発明は上記事情に鑑み、美的外観に富み、壁用の外装材の剥がれが生じにくく、かつ施工性がよいパネル塀と、その構築方法を提供することを目的とする。
【課題を解決するための手段】
【０００９】
第１発明のパネル塀は、支柱を介してパネルを連結して構築したパネル塀において、前記支柱と前記パネルを連結する連結部分に、その連結部分の隙間を覆うカバーが取付けられており、該カバーの外表面は、前記支柱の外表面および前記パネルの外表面と面一になっており、該カバーとその側方に位置する支柱のカバー側近傍および該カバーの他方に位置するパネルのカバー側近傍からなる領域に薄膜テープが貼付されており、該薄膜テープの外表面から、外装材が塗布されていることを特徴とする。
第２発明のパネル塀は、第１発明において、前記カバーが、前記連結部分に弾性係止片によって嵌合係止されていることを特徴とする。
第３発明のパネル塀の構築方法は、支柱を介してパネルを連結してパネル塀を構築する方法であって、前記支柱と前記パネルを連結する連結部分に、その連結部分の隙間を覆うカバーを取付け、該カバーの外表面は、前記支柱の外表面および前記パネルの外表面と面一とし、該カバーとその側方に位置する支柱のカバー側近傍および該カバーの他方に位置するパネルのカバー側近傍からなる領域に薄膜テープを貼付し、該薄膜テープの外表面から、外装材を塗布することを特徴とする。
【発明の効果】
【００１０】
第１発明によれば、支柱とパネルの間はカバーで塞がれるので目地処理が簡便に行える。そして、カバーが支柱とパネルに対し、外表面において面一なので段差を無くして目地溝を小さくでき、その小さな目地溝の上から薄膜テープが貼付されているので、目地溝は外観的には見えないものとなる。そして、その上面から外装材が塗布されているので、他の平坦部分の仕上がりと全く同様の仕上りとなって、美麗な外観が得られる。
第２発明によれば、カバーが弾性係止片によって嵌合係止するものなので、手で押し込むだけで連結部分に固定できる。このため、パネル塀の施工性が高くなる。
第３発明によれば、支柱とパネルの間をカバーで塞ぐと目地処理が簡便に行える。そして、カバーが支柱とパネルに対し、外表面において面一なので段差を無くして目地溝を小さくでき、その小さな目地溝の上から薄膜テープを貼付するので、目地溝は外観的には見えないものとなる。このため、その上面から外装材を塗布すると、他の平坦部分の仕上がりと全く同様の仕上りとなって、美麗な外観が得られる。
【図面の簡単な説明】
【００１１】
【図１】本発明におけるパネル塀の一例と目地処理方法を示す横断面図である。
【図２】本発明におけるパネル塀の他の例と目地処理方法を示す横断面図である。
【図３】本発明におけるパネル塀の更なる他の例と目地処理方法を示す横断面図である。
【図４】本発明におけるパネル塀を構築するパネルの説明図であって、（Ａ）は正面図、（Ｂ）は平面図、（Ｃ）は側面図である。
【図５】本発明のパネル塀を構築する各種パネルの斜視図である。
【図６】本発明に係るパネル塀の構築手順の説明図である。
【図７】本発明に係るパネル塀の使用例を示す説明図である。
【発明を実施するための形態】
【００１２】
つぎに、本発明の実施形態を図面に基づき説明する。
まず、図７に基づき、本発明に係るパネル塀の使用例を説明しておく。
Ｈ１とＨ２は家屋であり、隣接して建てられている。Ｗ２は図６の塀であり、Ｗ１とＷ３は他の形態の使用例である。
本発明は、このようなＷ１〜Ｗ３のような塀となるパネル塀と、それを構築する際の目地処理方法に関する。
【００１３】
本発明に係るパネル塀の特徴は、モジュール化された塀用パネルを用いた点にある。このモジュール化の意味は、統一化された基準寸法の縦、横、厚さ寸法をもつように各塀用パネルが構成され、互いに連結して、高さを変え、かつ左右方向に長さを延ばすことが可能となっていることにある。
【００１４】
各塀用パネルの連結は、パネルとは別部材である支柱を介して行い、横方向には、隣接するパネルの間に一本づつ支柱を立て、支柱を介して各パネルを連結することにより、構築していくことができる。また、高さ方向にはパネルを上に積み重ね、かつ同じ支柱に連結することで構築できる。
【００１５】
上記のような、パネル塀の構成要素である塀用パネルの基本構造を図４に基づき説明する。
図示の基本パネル１は、四角形の枠体１１と、その表裏両面に貼付した２枚の外板１２とからなる。
枠体１１は左右の縦桟１１ａと上下の横桟１１ｂを個別に製作した後で互いに結合したものでもよく、初めから一体に製作したものでもよい。枠体１１の大きさに併せて、補強用の桟１３を用いることは任意である。
外板１２は、枠体１１の縦横寸法と同じ板材であり、枠体１１への取付けは、ビス止めや溶接など任意の手段をとりうる。
枠体１１の左右の縦桟１１ａには、支柱に結合するための連結部１４が形成されている。
【００１６】
上記パネルの構成素材には、とくに制限がなく、金属や合成樹脂、セメント成形板などを利用できる。金属には、鉄や銅、マグネシウム、アルミニウムなどの利用が可能であり、合成樹脂には、ポリエチレン板、ポリプロピレン板などが利用可能である。
【００１７】
地震等による耐倒壊性を高めるためには、軽量素材を用いるのが好ましく、強度と軽量性を共に満足するためには、軽金属、とくにアルミニウムが好ましい。枠体１１はアルミニウム押出形材であると、製造が容易であり、任意の断面形状が可能であって、かつ連結部１４も同時に成形できる。
外板１２は、アルミニウム板、もしくはアルミニウム板に合成樹脂層を積層したものが好適である。
なお、アルミニウム材料は、軽量性と耐腐食性を兼ね備えている。
また、支柱２０もパネルと同様の種々の材料を用いることができるが、強度と軽量性を共に満足するには軽金属、とくにアルミニウム製の押出形材が好ましい。
【００１８】
本発明のパネル塀では、上記基本パネル１以外にも後述する種々のパネルが用いられるが、基本構造は実質同様である。
【００１９】
図５には、各種パネル１〜４が示されている。これらの概要は、以下のとおりである。
１：基本パネル
図４に示した塀構築の基本部材となるパネルであって、外板１２は特別の孔加工などは施されておらず、平坦な形状のままである。パネルの内部は空洞であり、最も軽量なタイプである。
３：丸開口パネル
基本パネルに丸形の開口を形成したものである。図示の例では、開口は４個であるが、開口の数や位置は任意である。
５，６：基本パネルと丸開口パネル
基本パネル１と丸開口パネル３と実質同一の構造をもつパネル５，６であるが、横寸法が小さいものである。
なお、上記以外にも種々のデザインのパネルを用いることができる。
【００２０】
つぎに、上記の塀用パネルを用いて構築した塀を図６に基づき説明する。
（１）図に示すように、地中に基礎６０を構築して、支柱２０を必要本数だけ立設する。
２本の支柱２０、２０の間に、基本パネル１，５や丸開口パネル３，６を挿入し、各パネルを支柱２０、２０に連結する。この連結方法は後述するように連結部１４をビス止めすることにより行われる。支柱２０と各パネル１，３，５，６の間の目地は封止したうえで塗布作業に移るが、その目地処理の詳細は後述する。
【００２１】
（２）図に示すように、連結された各パネル１，３，５，６の表面に下地調整材３１を施す。この下地調整材３１は、次工程で行う外装材が確実に付着し、剥落等が生じないようにするため行われる。
（３）図に示すように、下地層の表面に外装材３２を塗布する。外装材３２の代表的なものは、バインダーとしての合成樹脂と砂とパルプを主成分とするものなどが用いられ、鏝仕上げ等の手法で塗布される。この外装材は砂とパルプを含むことから自然の風合いと嵩高感を有する点に特徴がある。なお、完成したパネル塀に後付け型の郵便ポストを取付けたり、更にはデザイン仕上げを目的とした表面塗装を行ってもよい。
【００２２】
図６に示すように各パネル１，３，５，６を支柱２０に連結した場合の連結部分の構造を、図１に基づき説明する。図１は端柱である支柱２０とパネル１の結合状態を示している。
パネル１の縦桟１１ａからは外側に２枚の突片が突出しており、これが連結部１４となっている。この連結部１４は、縦桟１１ａとほぼ同じ上下長さを有しており、その適所、たとえば上下両端部と中間部にはビス孔が形成され、ビスの螺合が可能となっている。
また、支柱２０には、連結板２１がネジ止めされており、この連結板２１には前記連結部１４の相手部材となる被連結部２４が形成されている。そして、ビス２５を連結部１４と被連結部２４に共に螺合することにより、パネル１，１を支柱２０を介して連結できるようになっている。
【００２３】
つぎに、目地処理の詳細を説明する。
図１は端柱としての支柱２０にパネル１を連結した状態の拡大図である。パネル１は端部のみ示されている。
図２は主柱としての支柱２０の両側にパネル１，１を結合した状態を示しており、図３は角柱としての支柱２０に対し２枚のパネル１，１が直交して結合された状態を示している。
図１〜図３のいずれの場合も、目地処理方法は同様である。
【００２４】
目地処理には、カバー４１が用いられるが、そのカバー４１の取付構造は、つぎのとおりである。
前記連結板２１の両端部には断面視で凹状となる嵌合体２５が形成され、その両先端部には内側に向け突出した係止突起２６，２６が形成されている。
一方、カバー４１は、支柱２０とパネル１の間の上下長さを有する帯状部材であり、その内面には２ヵ所の係止片４２、４２が形成されている。この係止片４２、４２は弾力性を有し、それが撓みながら前記係止突起２６、２６の間を通過し、通過後は元の形状に復帰して、外れないように係合するというものである。このような弾性型係止片を用いると、手で押し込むだけで、カバー４１を取付けることができる。
【００２５】
取付けた状態でのカバー４１の外表面は、支柱２０の外表面およびパネル１の外表面（外板１２の外表面）と面一になっている。すなわち、外表面の高さは全く同一であり、支柱２０やパネル１との間で段差は生じていない。カバー４１と支柱２０との間、およびカバー４１とパネル１との間には、わずかな線状の溝が生ずるが、これが目地となっている。
【００２６】
上記の目地を平坦に整形する目地処理する際は、薄膜テープ、たとえばアルミニウムテープ（厚さ０．０５〜０．１０ｍｍ）を目地部分に貼付する。具体的には、アルミニウムテープ５１をカバー４１とその側方に位置する支柱２０のカバー側近傍およびカバー４１の他方に位置するパネル１のカバー側近傍からなる領域に貼付する。この結果、カバー１とその両サイドの領域はアルミニウムテープ５１で覆われて、目地溝は全く現われなくなる。因みに本実施例において、カバー１の幅は１４ｍｍ、アルミニウムテープ５１は厚さ０．０８ｍｍ、幅５０ｍｍであり、アルミニウムテープ５１によって、外板１２を枠体１１に取付けるビスの頭部も覆い隠している。
【００２７】
以上のようにして、目地処理を終えると、アルミニウムテープ５１の外表面から、下地調整材と外装材をその順で塗布する。その塗布の詳細は既述のとおりである。
【００２８】
上記のように目地処理を実行した結果、アルミニウムテープ５１は、パネル１と同質素材であるので、同一の下地材で下地処理ができ、後工程での外装材を塗布しても剥落は生じにくい。そして、下地塗装し外装材を塗布すると、他の平坦部分の仕上がりと全く同様の仕上りとなって、美麗な外観が得られる。
また、このように仕上げたパネル塀は、自然の風合いや嵩高感を有するものとなる。
【００２９】
（他の実施形態）
つぎに、本発明が適用可能なパネル塀を説明する。
上記に示した各種パネルには、さらに意匠性加工を施したり、機能性部材を取付けたものもよい。
意匠性加工には種々のものを任意に援用でき、角開口や丸開口などの加工、その他任意のものを付加することができる。
また、機能性部材は、縦型や横型のポストやルーバーセットなどを付加し、さらにその他任意のものを付加することができる。
【００３０】
また、基本パネルの外、パネル内部に発泡剤、たとえば低発泡ポリスチレンを充填したものを用いることもできる。このようなパネルは、内部が密に充填されているので、強度が向上する外、現場で任意の形状に切断しても、内部の充填物を介して切断部分のシールが容易に行えるという利点がある。
【００３１】
本発明で用いる各パネルは基準寸法を共有するモジュール化されたものである。具体的な基準寸法としては、とくに制限なく、施工性などの面から任意の寸法を採用できるが、縦６００ｍｍ、横９１０ｍｍ、厚さ６０ｍｍなどを例示できる。支柱の高さは、パネルの高さに根入れ寸法２００〜３００ｍｍを足した高さとするのが代表的であるが、これに限られることはない。
【００３２】
先に説明した実施形態では、下地調整材３１を塗布したうえで外装材を塗布したが、下地調整材を塗布しないで外装材を直接パネルの表面に塗布してもよい。すなわち、外装材がパネルの表面に直接塗布しても剥落等の可能性が生じないものであれば、下地調整材は不要であり、たとえば樹脂系（エポキシ樹脂系塗料など）の外装材であれば、直接塗布が可能となる。
【符号の説明】
【００３３】
１    パネル
１４    連結部
２０    支柱
２１    連結板
２５    嵌合体
２６    係止突起
４１    カバー
４２    係止片
５１    アルミニウムテープ
【図１】
0005686757.tif 000002
【図２】
0005686757.tif 000003
【図３】
0005686757.tif 000004
【図４】
0005686757.tif 000005
【図５】
0005686757.tif 000006
【図６】
0005686757.tif 000007
【図７】
0005686757.tif 000008